【手続補正書】
【提出日】平成29年2月15日(2017.2.15)
【手続補正１】
【補正対象書類名】特許請求の範囲
【補正対象項目名】全文
【補正方法】変更
【補正の内容】
【特許請求の範囲】
【請求項１】
ハウジングと；
前記ハウジング内に回転可能にジャーナル（軸受）支持され、回転出力軸を含むロータ・アセンブリと；
前記回転出力軸の外面に形成された中央装着点を含む中央作動アセンブリであって、前記中央装着点は前記回転出力軸の長手方向の中間点に近接する、中央作動アセンブリと；
前記ハウジングの長手方向中間点に配設された、前記ハウジングの半径方向突出部を備え、航空機の構造部材の装着面の外部装着コネクタへの取り付けに適合する装着アセンブリと；
近端で取り外し自在に前記中央装着点へ取り付けられる作動アームであって、作動される航空機アセンブリの外部装着部位への遠端での取り付けに適合する作動アームと、
を備える；
ロータリ・アクチュエータ。
【請求項２】
前記中央作動アセンブリは、前記回転出力軸の中央装着点に近接する前記ハウジングの外周面に形成された半径方向凹部を更に含み；
前記作動アームは前記半径方向凹部を通って延びる；
請求項１のロータリ・アクチュエータ。
【請求項３】
前記半径方向突出部は、前記作動アームから約１８０°に配設される；
請求項１のロータリ・アクチュエータ。
【請求項４】
前記ハウジングは、第１のキャビティと、前記第１のキャビティに流体連通する第１の流体ポートと、開口端とを含む第１の弧状チャンバを画成し；
前記ロータ・アセンブリは、前記回転出力軸から半径方向外方へ延びる第１のロータ・アームを更に含み；
前記ロータ・アクチュエータは、前記開口端を通って前記第１の弧状チャンバ内で往復動自在に前記ハウジング内に配設される弧状の第１のピストンを更に備え、第１のシールと、前記第１のキャビティと、前記第１のピストンとが、第１の圧力チャンバを画成し、前記第１のピストンの第１の部分が前記第１のロータ・アームに接触する；
請求項１乃至請求項３のいずれか１項のロータリ・アクチュエータ。
【請求項５】
前記ハウジングは、第２のキャビティと、前記第２のキャビティに流体連通する第２の流体ポートとを備える第２の弧状チャンバを更に画成し；
前記ロータ・アセンブリは第２のロータ・アームを更に備え；
前記ロータリ・アクチュエータは、前記第２の弧状チャンバ内で往復動自在に前記ハウジング内に配設される弧状の第２のピストンを更に備え、第２のシールと、前記第２のキャビティと、前記第２のピストンとが、第２の圧力チャンバを画成し、前記第２のピストンの第１の部分が前記第２のロータ・アームに接触する；
請求項４のロータリ・アクチュエータ。
【請求項６】
前記中央作動アセンブリは、前記回転出力軸の前記中央装着点に近接する前記ハウジングの外周面に形成された半径方向凹部を更に含み；
前記作動アームは前記半径方向凹部を通って延びる；
請求項５のロータリ・アクチュエータ。
【請求項７】
前記ハウジングに装着されるステータと、前記回転出力軸に結合されるロータとを更に備える；
請求項１のロータリ・アクチュエータ。
【請求項８】
前記ハウジングの長手方向中間点に配設された、前記ハウジングの半径方向突出部を備えた装着アセンブリを備えるハウジングと；
前記ハウジング内に回転可能にジャーナル支持され、回転出力軸を含むロータ・アセンブリと；
前記回転出力軸の外面に形成された中央装着点を含む中央作動アセンブリであって、前記中央装着点は前記回転出力軸の長手方向の中間点に近接する、中央作動アセンブリと；
近端で取り外し自在に前記中央装着点へ取り付けられる作動アームであって、被作動部材の外部装着部位への遠端での取り付けに適合する作動アームとを備える；
ロータリ・アクチュエータ。
【請求項９】
前記中央作動アセンブリは、前記回転出力軸の前記中央装着点に近接する前記ハウジングの外周面に形成された半径方向凹部を更に含み；
前記作動アームは、前記半径方向凹部を通って延びる；
請求項８のロータリ・アクチュエータ。
【請求項１０】
前記半径方向突出部は、前記作動アームから約１８０°に配設され、前記装着アセンブリは、装着面の外部装着コネクタへの取り付けに適合する；
請求項８のロータリ・アクチュエータ。
【請求項１１】
前記ハウジングの前記半径方向突出部は前記ハウジングの半径方向に突出する中央部である；
請求項８乃至請求項１０のいずれか１項のロータリ・アクチュエータ。
【請求項１２】
前記ハウジングは、第１のキャビティと、前記第１のキャビティに流体連通する第１の流体ポートと、開口端とを含む第１の弧状チャンバを画成し；
前記ロータ・アセンブリは、前記回転出力軸から半径方向外方へ延びる第１のロータ・アームを更に含み；
前記ロータリ・アクチュエータは、前記開口端を通って前記第１の弧状チャンバ内で往復動自在に前記ハウジング内に配設される弧状の第１のピストンを備え、第１のシールと、前記第１のキャビティと、前記第１のピストンとが、第１の圧力チャンバを画成し、前記第１のピストンの第１の部分が前記第１のロータ・アームに接触する；
請求項８のロータリ・アクチュエータ。
【請求項１３】
前記ハウジングは、第２のキャビティと、前記第２のキャビティに流体連通する第２の流体ポートとを備える第２の弧状チャンバを更に画成し；
前記ロータ・アセンブリは第２のロータ・アームを更に備え；
前記ロータリ・アクチュエータは、前記第２の弧状チャンバ内で往復動自在に前記ハウジング内に配設される弧状の第２のピストンを更に備え；
第２のシールと、前記第２のキャビティと、前記第２のピストンとが、第２の圧力チャンバを画成し、前記第２のピストンの第１の部分が前記第２のロータ・アームに接触する；
請求項１２のロータリ・アクチュエータ。
【請求項１４】
前記中央作動アセンブリは、前記回転出力軸の前記中央装着点に近接する前記ハウジングの外周面に形成された半径方向凹部を更に含み；
前記作動アームは、前記半径方向凹部を通って延びる；
請求項８乃至請求項１３のいずれか１項のロータリ・アクチュエータ。
【請求項１５】
第１の端部が前記ハウジングに装着され、第２の端部が、前記回転出力軸から半径方向外方へ延びる第１のロータ・アームに装着される、直動アクチュエータを更に備える；
請求項８乃至請求項１４のいずれか１項のロータリ・アクチュエータ。
【請求項１６】
前記ハウジングは一体ハウジングとして、単一の材料から形成される；
請求項８乃至請求項１５のいずれか１項のロータリ・アクチュエータ。
【請求項１７】
前記外部装着部位は、航空機の構造部材又は外面の外部装着コネクタの一方に取り付けられ、前記装着アセンブリは、前記航空機の構造部材又は前記外面の外部装着コネクタの他方に取り付けられる；
請求項８乃至請求項１６のいずれか１項のロータリ・アクチュエータ。
【請求項１８】
回転作動の方法であって：
ロータリ・アクチュエータを提供ステップであって、
前記ロータリ・アクチュエータが：
ハウジングであって、前記ハウジングの半径方向に突出する中央部を有する装着アセンブリを有するハウジングと；
前記ハウジング内に回転可能にジャーナル支持され、回転出力軸を含むロータ・アセンブリと；
前記回転出力軸の外面に形成された中央装着点を含む中央作動アセンブリであって、前記中央装着点が前記回転出力軸の長手方向の中間点に近接する、中央作動アセンブリと；
近端で取り外し自在に前記中央装着点へ取り付けられる作動アームであって、被作動部材の外部装着部位への遠端での取り付けに適合する作動アームとを備えるロータリ・アクチュエータを提供ステップと；
ロータ・アセンブリを付勢するステップと；
回転出力軸の回転を付勢するステップと；
作動アームの回転を付勢するステップと；
被作動部材の運動を付勢するステップとを含む；
方法。
【請求項１９】
前記中央作動アセンブリは、前記回転出力軸の前記中央装着点に近接する前記ハウジングの外周面に形成された半径方向凹部更に含み；
前記作動アームは、前記半径方向凹部を通って延びる；
請求項１８の方法。
【請求項２０】
前記ハウジングの半径方向に突出する部分は、前記作動アームから約１８０°に配設され、前記装着アセンブリは、装着面の外部装着コネクタへの取り付けに適合する；
請求項１８又は請求項１９の方法。